(57)【要約】【課題】ユーザに対して情報をより確実に伝える。また、無線基地局の演算負荷を軽減する。【解決手段】ハンドオーバが発生すると、無線基地局３から新たに無線接続した携帯電話機４に対して提供情報が送信され、通話の終了後に当該携帯電話機４から出力される。これにより、通話が終了した後という携帯電話機４に対して向けられるユーザの注意が高い状況下で提供情報が出力されるため、この提供情報をより確実にユーザに伝えることができる。また、無線基地局３は、ハンドオーバという位置登録と比較して少ない割合で発生するタイミングで提供情報を提供するので、演算負荷を軽減させることができる。【選択図】  図１
2008092099.tif 000002
【特許請求の範囲】
【請求項１】
複数の無線基地局と、
これらの無線基地局のうち少なくとも１つと無線接続による通信を行う携帯端末装置と
を備えた無線通信システムにおいて、
前記無線基地局のうち少なくとも１つは、
前記携帯端末装置に提供する情報を記憶する記憶手段と、
通信中の前記携帯端末装置の無線接続先が他の無線基地局から当該無線基地局に変更されると、当該携帯端末装置に対して前記情報を送信する送信手段と
を備え、
前記携帯端末装置は、
前記無線基地局より受信した前記情報を出力する出力手段を備える
ことを特徴とする無線通信システム。
【請求項２】
携帯端末装置と無線接続により通信を行う無線基地局であって、
前記携帯端末装置に提供する情報を記憶する記憶手段と、
通信中の前記携帯端末装置の無線接続先が他の無線基地局から当該無線基地局に変更されると、当該携帯端末装置に対して前記情報を送信する送信手段と
を備えることを特徴とする無線基地局。
【請求項３】
前記送信手段は、前記通信中の音声データと共に前記情報を送信する
ことを特徴とする請求項２記載の無線基地局。
【請求項４】
複数の無線基地局のうち少なくとも１つと無線接続による通信を行う携帯端末装置であって、
通信中に無線接続先が変更された無線基地局より受信した情報を出力する出力手段を備える
ことを特徴とする携帯端末装置。
【請求項５】
前記出力手段は、前記通信が終了すると前記無線基地局から前記情報を受信する
ことを特徴とする請求項４記載の携帯端末装置。
【発明の詳細な説明】
【技術分野】
【０００１】
本発明は、携帯端末装置と無線基地局とを有する無線通信システムに関するものである。
【背景技術】
【０００２】
従来より、ユーザが着信に応答できない場合、相手先からのメッセージを交換局に記憶しておき、そのユーザの携帯電話機が交換局に位置登録を行ったときに、そのメッセージを携帯電話機に送信するシステムが提案されている（例えば、特許文献１参照。）。これにより、携帯電話機のユーザは、不在時などの着信に応答できなくても、位置登録が行われたときにメッセージを取得することができる。
【０００３】
【特許文献１】特開平７−３２２３４８号公報
【発明の開示】
【発明が解決しようとする課題】
【０００４】
しかしながら、単なる位置登録時のみならず、通話中に新たに位置登録が行われたときにも基地局から情報を送信することが望まれている。これにより、基地局は、独自の情報を携帯電話機に提供することが可能となると考えられる。
【０００５】
そこで、本願発明は、基地局独自の情報を提供することができる無線通信装置、無線基地局および携帯端末装置を提供することを目的とする。
【課題を解決するための手段】
【０００６】
上述したような課題を解決するために、本発明に係る無線通信システムは、複数の無線基地局と、これらの無線基地局のうち少なくとも１つと無線接続による通信を行う携帯端末装置とを備えた無線通信システムにおいて、無線基地局のうち少なくとも１つは、携帯端末装置に提供する情報を記憶する記憶手段と、通信中の携帯端末装置の無線接続先が他の無線基地局から当該無線基地局に変更されると、当該携帯端末装置に対して情報を送信する送信手段とを備え、携帯端末装置は、無線基地局より受信した情報を出力する出力手段を備えることを特徴とする。
【０００７】
また、本発明に係る無線基地局は、携帯端末装置と無線接続により通信を行う無線基地局であって、携帯端末装置に提供する情報を記憶する記憶手段と、通信中の携帯端末装置の無線接続先が他の無線基地局から当該無線基地局に変更されると、当該携帯端末装置に対して情報を送信する送信手段とを備えることを特徴とする。ここで、送信手段は、通信中の音声データと共に情報を送信するようにしてもよい。
【０００８】
また、本発明に係る携帯端末装置は、複数の無線基地局のうち少なくとも１つと無線接続による通信を行う携帯端末装置であって、通信中に無線接続先が変更された無線基地局より受信した情報を出力する出力手段を備えることを特徴とする。ここで、出力手段は、通信中に前記情報を有することを表す所有情報を受信すると、通信の終了後、無線基地局に対して、前記情報の送信を要求するようにしてもよい。
【発明の効果】
【０００９】
本発明によれば、通信中の携帯端末装置の無線接続先が他の無線基地局から当該無線基地局に変更されると、当該無線基地局から当該携帯端末装置に情報が送信され、この情報が当該携帯端末装置から出力される。これにより、通信中という状態においても、携帯端末装置に情報が送信することができる。
【発明を実施するための最良の形態】
【００１０】
［第１の実施の形態］
以下、図面を参照して、本発明の第１の実施の形態について詳細に説明する。
【００１１】
＜携帯電話システム＞
図１に示すように、本実施の形態に係る携帯電話システムは、移動通信交換局１と、この移動通信交換局１に接続された少なくとも１つの無線回線制御局２と、この無線回線制御局２に接続された無線基地局３Ａ，３Ｂ，３Ｘと、これらの無線基地局に無線接続される携帯電話機４Ａ，４Ｂを有する。便宜上、以下において、場合により無線基地局３Ａ，３Ｂ，３Ｘを無線基地局３、携帯電話機４Ａ，４Ｂを携帯電話機４という。
【００１２】
移動通信交換局１は、公衆電話網（ＰＳＴＮ:Public Switched Telephone Network）、ＩＳＤＮ（Integrated Service Digital Network）、ＩＰ(Internet Protocol)電話網などの電話網５に接続され、ロケーションレジスタ６に登録されている携帯電話機４の位置情報に基づいて、携帯電話機４Ａ，４Ｂの各種呼制御を行う装置である。
【００１３】
無線回線制御局２は、移動通信交換局１と、接続された複数の無線基地局３との間の各種データのやり取りを中継する装置である。
【００１４】
無線基地局３は、無線電波Ｗを放射し、この無線電波Ｗが届く領域に位置する携帯電話機４と無線電波Ｗを介してデータ通信を行う装置である。
【００１５】
携帯電話機４は、無線電波Ｗを用いて無線基地局３と無線接続される端末装置であり、無線接続された無線基地局３、無線回線制御局２および移動通信交換局１を介して相手先と通話パスを接続することにより、相手先との通話を実現する装置である。
【００１６】
＜無線基地局＞
図２に示すように、本実施の形態に係る携帯電話システムで用いられる無線基地局３は、無線送受信部３１と、Ｉ／Ｆ部３２と、記憶部３３と、制御部３４とを備えている。
【００１７】
無線送受信部３１は、アンテナＡＴを介して無線電波Ｗを送受信する回路部であり、携帯電話機４とこの携帯電話機４と通話を行う相手先との間で各種データをやり取りする。
【００１８】
Ｉ／Ｆ部３２は、ＬＡＮなど介して無線回線制御局２と各種データをやり取りする。
【００１９】
記憶部３３は、メモリやハードディスクなどの記憶装置からなり、管理情報３３Ａと、提供情報３３Ｂと、プログラム３３Ｐとを格納する。管理情報３３Ａと提供情報３３Ｂがある。管理情報３３Ａは、当該無線基地局３に無線接続されている携帯電話機４を制御するのに用いる情報である。提供情報３３Ｂは、当該無線基地局３に新たに無線接続された携帯電話機４に送信する情報である。プログラム３３Ｐは、無線基地局３の動作プログラムであり、無線送受信部３１やＩ／Ｆ部３２などの入出力インターフェース部を介して外部装置や記録媒体から読み取られ予め記憶部３３へ格納される。
【００２０】
制御部３４は、ＣＰＵなどのマイクロプロセッサとその周辺回路からなり、記憶部３３からプログラム３３Ｐを読み込んで実行することにより、上記ハードウェアとプログラム３３Ｐとを協働させることにより、転送制御手段３４Ａ、接続手段３４Ｂ、送信手段３４Ｃを実現する。
【００２１】
転送制御手段３４Ａは、ＬＡＮなどを介してＩ／Ｆ部３２に接続された無線回線制御局２と無線電波Ｗを介して無線送受信部３１に接続された携帯電話機４との間でデータを転送する。また、無線送受信部３１によりアンテナＡＴを介して周期的に無線基地局３の識別情報を含む無線電波Ｗを送信する。
【００２２】
接続手段３４Ｂは、アンテナＡＴから放射する無線電波Ｗが届く範囲に移動してきた携帯電話機４をハンドオーバさせ、新たに当該無線基地局３と無線接続を行う。
【００２３】
送信手段３４Ｃは、新たに当該無線基地局３と無線接続した携帯電話機４に提供情報３３Ｂを送信する。
【００２４】
＜携帯電話機＞
図３に示すように、本実施の形態に係る携帯電話システムで用いられる携帯電話機４は、無線送受信部４１と、音声処理部４２と、操作入力部４３と、表示部４４と、記憶部４５と、制御部４６とを備えている。
【００２５】
無線送受信部４１は、アンテナＡＴを介して無線電波Ｗを送受信することにより、無線基地局３との間で各種データをやり取りする。
【００２６】
音声処理部４２は、無線送受信部４１を介して受信した音声データから生成信号や予め設定されている各種報知音をスピーカ（図示せず）から出力する。
【００２７】
操作入力部４３は、ダイヤルキーや機能キーなどの各種操作キーやフックスイッチからなり、ユーザの操作を検出して制御部４６へ出力する。
【００２８】
表示部４４は、ＬＥＤ(Light Emitting Diode)やＬＣＤ(Liquid Crystal Device)などの表示器からなり、制御部４６の指示に応じて各種可視表示を行う。
【００２９】
記憶部４５は、メモリなどの記憶装置からなり、制御情報４５Ａ、提供情報４５Ｂおよびプログラム４５Ｐなどを格納する。制御情報４５Ａは、制御部４６での当該携帯電話機４の制御に用いる情報である。また、提供情報４５Ｂは、ハンドオーバが発生したときに無線基地局３から受信する情報である。プログラム４５Ｐは、携帯電話機４の制御プログラムであり、製造時に予め記憶部４５に格納される。
【００３０】
制御部４６は、ＣＰＵなどのマイクロプロセッサとその周辺回路からなり、記憶部４５からプログラム４５Ｐを読み込んで実行することにより、上記ハードウェアとプログラム４５Ｐとを協働させて、呼制御手段４６Ａ、接続手段４６Ｂおよび出力手段４６Ｃを実現させる。
【００３１】
呼制御手段４６Ａは、無線回線制御局２、無線基地局３および無線電波Ｗを介して受信した移動通信交換局１からの指示に基づいて当該携帯電話機４を制御する。
接続手段４６Ｂは、無線基地局３から受信する無線電波Ｗの強度に基づいてハンドオーバを行い、無線接続を行う無線基地局３を選択する。
出力手段４６Ｃは、無線基地局３から受信し記憶部４５に記憶された提供情報４５Ｂをスピーカや表示部４４から出力させる。
【００３２】
［第１の実施の形態の動作］
次に、図４を参照して、本実施の形態に係る携帯電話システムの動作について説明する。ここでは、携帯電話機４Ａが携帯電話機４Ｂと通話中に、無線基地局３Ｂによって、携帯電話機４Ａの無線接続を無線基地局３Ａから無線基地局３Ｂにハンドオーバする場合を例に説明する。
【００３３】
無線基地局３Ａに無線接続された携帯電話機４Ａは、移動通信交換局１、無線回線制御局２および無線基地局３Ｘを介して、携帯電話機４Ｂと通話を行っている（ステップＳ１）。このとき、例えば、携帯電話機４Ａのユーザが移動することにより、携帯電話機４ＡのアンテナＡＴにより無線送受信部４１が無線基地局３Ｂからの無線電波Ｗを受信すると（ステップＳ２）、携帯電話機４Ａの制御部４６の呼制御手段４６Ａは、その無線電波Ｗに応答して、無線送受信部４１により位置登録情報を無線基地局３Ｂに送信する（ステップＳ３）。この位置登録情報としては、携帯電話機４Ａの識別情報などが含まれる。
【００３４】
位置登録情報を受信すると、無線基地局３Ｂの制御部３４の転送制御手段３４Ａは、その位置登録情報を移動通信交換局１に転送する（ステップＳ４）。移動通信交換局１は、受信した位置登録情報をロケーションレジスタ６に登録する。
【００３５】
また、無線基地局３Ｂの接続手段３４Ｂは、携帯電話機４Ａから受信する無線電波Ｗの強度に基づいて、携帯電話機４Ａの無線接続先を無線基地局３Ａから無線基地局３Ｂに切り替えるいわゆるハンドオーバを行う（ステップＳ５）。これにより、携帯電話機４Ａは、無線基地局３Ｂ、移動通信交換局１、無線回線制御局２および無線基地局３Ｘを介して、携帯電話機４Ｂとの通話が行われる（ステップＳ６）。なお、上記ハンドオーバを行うタイミングとしては、携帯電話機４Ａから受信する無線電波Ｗの強度が所定の閾値を超えるなどが挙げられる。
【００３６】
ハンドオーバが行われると、無線基地局３Ｂの送信手段３４Ｃは、携帯電話機４Ａに提供情報３３Ｂを送信する（ステップＳ７）。この提供情報３３Ｂは、無線基地局３Ｂ特有の情報であり、例えば、無線基地局３Ｂ近辺の店舗の広告や地理情報など、携帯電話機４Ａのユーザに対して無線基地局３Ｂ等の所有者やスポンサーが提供したい情報からなる。このような提供情報３３Ｂは、音声、画像、音声および映像、文字等の形態の情報からなり、通話中に、音声信号に重畳されたり、通話による音声信号とは異なる別個の情報として送信されたり、電子メールとして送信されたりする。
【００３７】
提供情報３３Ｂを受信すると、携帯電話機４Ａは、その提供情報３３Ｂを記憶部４５に提供情報４５Ｂとして記憶する（ステップＳ８）。
【００３８】
携帯電話機４Ｂとの通話が終了すると（ステップＳ９）、携帯電話機４Ａの制御部４６の出力手段４６Ｃは、記憶部４５に格納された提供情報４５Ｂを出力する（ステップＳ１０）。提供情報４５Ｂは、情報の形態によって、例えば、表示部４４により画像として出力されたり、スピーカから音声として出力されたり、電子メールとして表示されたりする。出力された提供情報４５Ｂは、記憶部４５から消去される。
【００３９】
このような携帯電話システムは、例えば、デパートなどに適用することができる。この場合、例えばユーザがフロアを移動することによってハンドオーバが発生すると、携帯電話機４と新たに無線接続を行った無線基地局３は、そのフロアにおける特売に関する情報などからなる提供情報３３Ｂを携帯電話機４に送信する。これにより、表示部４４に特売の情報が表示されたり、スピーカから特売の情報が出力されるので、携帯電話機４のユーザの購買意欲を高めることが可能となり、売り上げの増加や集客効果を期待することができる。
【００４０】
以上説明したように、本実施の形態によれば、ハンドオーバが発生すると、無線基地局３から新たに無線接続した携帯電話機４に対して提供情報３３Ｂが送信され、通話の終了後に当該携帯電話機４から出力される。これにより、通話が終了した後という携帯電話機４に対して向けられるユーザの注意が高い状況下で提供情報４５Ｂが出力されるため、提供情報４５Ｂをより確実にユーザに伝えることができる。また、無線基地局３は、ハンドオーバという位置登録と比較して少ない割合で発生するタイミングで提供情報３３Ｂを提供するので、演算負荷を軽減させることができる。
【００４１】
なお、本実施の形態において、提供情報４５Ｂは、ハンドオーバが行われた携帯電話機４Ａに送信するようにしたが、携帯電話機４Ａの通話相手の携帯電話機４Ｂにも送信するようにしてもよい。これにより、上述したデパートに適用した場合には、さらなる集客効果等を期待することができる。
【００４２】
また、本実施の形態において、ステップＳ７により携帯電話機４Ａが提供情報を受信すると、通話中にその提供情報を出力するようにしてもよい。例えば、提供情報がテキストなどの文字情報から構成される場合、携帯電話機４Ａの表示部４４に文字情報をテロップとして表示するようにしてもよい。また、提供情報が音声情報から構成される場合、通話中の相手からの音声にその音声情報に基づく音声を重畳してスピーカから出力するようにしてもよい。これにより、ユーザは、提供情報を即座に確認することができる。したがって、タイムセールの情報や締めきり時間を有する情報など時間的制約を有する提供情報であっても、ユーザに確実に提供することができる。
【００４３】
［第２の実施の形態］
次に、本発明の第２の実施の形態について説明する。なお、本実施の形態は、携帯電話機４によってハンドオーバを行うものであり、その他の構成については第１の実施の形態と同等である。したがって、第１の実施の形態と同等の構成要素およびステップについては、同じ名称および符号を付し、適宜説明を省略する。
【００４４】
［第２の実施の形態の動作］
図５を参照して、本実施の形態に係る電話システムの動作について説明する。ここでは、携帯電話機４Ａが携帯電話機４Ｂと通話中に、携帯電話機４Ａによって、携帯電話機４Ａの無線接続を無線基地局３Ａから無線基地局３Ｂにハンドオーバする場合を例に説明する。
【００４５】
無線基地局３Ａに無線接続された携帯電話機４Ａは、移動通信交換局１、無線回線制御局２および無線基地局３Ｘを介して、携帯電話機４Ｂと通話を行っている（ステップＳ１）。このとき、例えば、携帯電話機４Ａのユーザが移動するなどにより、携帯電話機４ＡのアンテナＡＴにより無線送受信部４１が無線基地局３Ｂからの無線電波Ｗを受信すると（ステップＳ２）、携帯電話機４Ａの制御部４６の呼制御手段４６Ａは、その無線電波Ｗに応答して、無線送受信部４１により位置登録情報を無線基地局３Ｂに送信する（ステップＳ３）無線基地局３Ｂの転送制御手段３４Ａは、受信した位置登録情報を移動通信交換局１に転送する（ステップＳ４）。移動通信交換局１は、受信した位置登録情報をロケーションレジスタ６に登録する。
【００４６】
また、無線基地局３Ｂからの無線電波Ｗを受信すると、携帯電話機４Ａの制御部４６の接続手段４６Ｂは、その無線電波Ｗの強度に基づいて、無線接続先を無線基地局３Ａから無線基地局３Ｂに切り替えるいわゆるハンドオーバを行う（ステップＳ１１）。これにより、携帯電話機４Ａは、無線基地局３Ｂ、移動通信交換局１、無線回線制御局２および無線基地局３Ｘを介して、携帯電話機４Ｂとの通話が行われる（ステップＳ６）。なお、上記ハンドオーバを行うタイミングとしては、無線基地局３Ｂから受信する無線電波Ｗの強度が所定の閾値を超えるなどが挙げられる。
【００４７】
ハンドオーバが行われると、無線基地局３Ｂの送信手段３４Ｃは、携帯電話機４Ａに提供情報３３Ｂを有していることを示す所有情報を送信する（ステップＳ１２）。この所有情報は、提供情報３３Ｂに含まれていたり、記憶部３３に提供情報３３Ｂとは別に記憶するようにしてもよい。また、送信手段３４Ｃにより、記憶部３３に提供情報３３Ｂが存在することが確認されると、送信手段３４Ｃが所有情報を生成して送信するようにしてもよい。
【００４８】
所有情報を受信すると、携帯電話機４Ａの制御部４６は、出力手段４６Ｃにより提供情報が存在することを示すアラーム音をスピーカから出力させる（ステップＳ１３）。なお、アラーム音の代わりにテロップを表示部４４に表示させたり、アラーム音とともにテロップを表示するようにしてもよい。これらにより、携帯電話機４Ａのユーザは、提供情報が存在することを認識することができる。
【００４９】
携帯電話機４Ｂとの通話が終了すると（ステップＳ９）、携帯電話機４Ａの制御部４６は、出力手段４６Ｃにより提供情報の送信を無線基地局３Ｂに要求する（ステップＳ１４）。なお、この要求は、ユーザによる操作入力に基づいて行うようにしてもよい。例えば、通話の終了後、出力手段４６Ｃは、表示部４４に提供情報の出力を望むか否かユーザの意思を確認するための表示を出力させ、この表示に対してユーザが提供情報の出力を望むことを意味する操作入力を操作入力部４３が検出した場合には、無線基地局３Ｂに対して提供情報の送信を要求するようにしてもよい。これにより、ユーザの意思に応じて、提供情報を出力することができる。
【００５０】
携帯電話機４Ａから提供情報の送信が要求されると、無線基地局３Ｂは、提供情報３３Ｂを携帯電話機４Ａに送信する（ステップＳ７）。
【００５１】
提供情報３３Ｂを受信すると、携帯電話機４Ａの制御部４６は、出力手段４６よりその提供情報３３Ｂを出力する（ステップＳ１０）。この提供情報３３Ｂは、情報の形態によって、例えば、表示部４４により画像として出力されたり、スピーカから音声として出力されたりする。
【００５２】
このようにしても、第１の実施の形態と同等の効果を得ることができる。
【００５３】
なお、第１および第２の実施の形態において、例えば、ステップＳ７において提供情報を送信後、ハンドオーバを繰り返し、再度他の無線基地局３から無線基地局３Ｂにハンドオーバを行った場合、無線基地局３Ｂの送信手段３４Ｃは、提供情報３３Ｂを送信しないようにしてもよい。この場合、送信手段３４Ｃは、提供情報３３Ｂを送信した携帯電話機４を記憶部３３に記憶しておき、所定の時間以内に再度ハンドオーバが行われた場合には、その携帯電話機４に提供情報を送信しない。これにより、提供情報を重複して送信するのを防ぐことができる。
【００５４】
また、第１および第２の実施の形態において、上述したようにハンドオーバを繰り返すなどにより、携帯電話機４が同じ提供情報を受信した場合、携帯電話機４の出力手段４６Ｃは、今回受信した提供情報または過去に取得した提供情報を消去するようにしてもよい。これにより、提供情報を重複して出力するのを防ぐことができる。
【００５５】
また、第１および第２の実施の形態において、携帯電話機４が記憶した提供情報４５Ｂは、携帯電話機４が上述したデパート等の所定のエリアから離れたり、所定時間が経過したりすると、記憶部４５から消去するようにしてもよい。これは、例えば、無線基地局３から送信される提供情報３３Ｂに所定の無線基地局３からの無線電波Ｗを受信しているときのみその提供情報を有効とするデータを埋め込んでおいたり、携帯電話機４に提供除法３３Ｂを受信してからの経過時間を計測するタイマを設けることにより実現することができる。これにより、古い提供情報を出力するのを防ぐことができる。
【００５６】
また、第１および第２の実施の形態において、提供情報４５Ｂは、終話後に出力されるようにしたが、通話中に出力されるようにしてもよい。この場合、提供情報は、表示部４４に表示させたり、スピーカから通話の音声と重畳して出力したりことにより、出力される。これにより、携帯電話機４のユーザに対して、情報をより確実に伝えることができる。
【００５７】
上述したシステムは、携帯電話システムのみならず、例えばＰＨＳ(Personal Hnady-phome System)やＦＭＣ(Fixed Mobile Convergence)など複数の無線基地局を有するシステムに適用することができる。特に、ＦＭＣに適用した場合、例えばデパート等に配設された無線基地局に無線接続した携帯端末装置の通信費をデパート側が負担することにより、さらなる集客効果を期待することができる。
【産業上の利用可能性】
【００５８】
本発明は、複数の無線基地局を有する通信システムに適用することができる。
【図面の簡単な説明】
【００５９】
【図１】本発明の携帯電話システムの構成を模式的に示す図である。
【図２】無線基地局の構成を示すブロック図である。
【図３】携帯電話機の構成を示すブロック図である。
【図４】第１の実施の形態における携帯電話システムの動作を示すタイミングチャートである。
【図５】第２の実施の形態における携帯電話システムの動作を示すタイミングチャートである。
【符号の説明】
【００６０】
１…移動通信交換局、２…無線回線制御局、３，３Ａ，３Ｂ，３Ｘ…無線基地局、４，４Ａ，４Ｂ…携帯電話機、５…電話網、６…ロケーションレジスタ、３１…無線送受信部、３２…Ｉ／Ｆ部、３３…記憶部、３３Ａ…管理情報、３３Ｂ…提供情報、３３Ｐ…プログラム、３４…制御部、３４Ａ…転送制御手段、３４Ｂ…接続手段、３４Ｃ…送信手段、４１…無線送受信部、４２…音声処理部、４３…操作入力部、４４…表示部、４５…記憶部、４５Ａ…制御情報、４５Ｂ…提供情報、４５Ｐ…プログラム、４６…制御部、４６Ａ…呼制御手段、４６Ｂ…接続手段、４６Ｃ…出力手段。
【図１】
2008092099.tif 000003
【図２】
2008092099.tif 000004
【図３】
2008092099.tif 000005
【図４】
2008092099.tif 000006
【図５】
2008092099.tif 000007